(57)【要約】【課題】Ｘ線診断装置に関る機器の動作や処置に伴って発生する音を、他の機器から発生される周囲の音と類似しない音に容易に変更できるようにする。【解決手段】Ｘ線診断装置に関る特定音が発生していない状態で、かつ、突発的な音を除外する状態で、継続的に発生されている周囲の音を入力し、入力された周囲の音の４成分（音の一次周波数、二次周波数、音の間隔、音の長さ）を抽出処理する（Ｓ１〜５）。次いで、特定音の３成分（音の周波数、音の間隔、音の長さ）を入力し（Ｓ６）、類似度を求め、基準値と比較して類似しているかどうかを判断する（Ｓ７）。類似している場合には、類似している特定音を禁止音領域に移動させる（Ｓ８）とともに、候補テーブルから最先順位の特定音を選択し（Ｓ９）、再生テーブルに移行して記憶させ、類似している特定音を、類似していない特定音に自動的に置換する。【選択図】図５
2009039287.tif 000002
【特許請求の範囲】
【請求項１】
Ｘ線を発生させて被検者に照射するＸ線発生手段と、前記Ｘ線発生手段から照射されるＸ線を受けるＸ線検出手段と、前記Ｘ線発生手段または／およびＸ線検出手段を駆動変位する駆動機構とを備えたＸ線診断装置において、
診断動作を特定する特定音を発生する特定音発生手段と、前記特定音発生手段で発生する特定音として複数の異なる特定音を格納する特定音格納手段と、周囲の音を入力し、その入力音とその時点で使用しようとしている特定音とを比較して類似していると判断したときに音置換信号を出力する音比較手段と、音置換信号に応答して前記特定音格納手段に格納されている類似しない音を前記特定音発生手段から発生させるように使用すべき特定音を置換する特定音置換制御手段とを備えたことを特徴とするＸ線診断装置。
【請求項２】
請求項１に記載のＸ線診断装置において、
特定音発生手段が、Ｘ線発生手段から透視用Ｘ線を照射している透視状態を特定する特定音、前記Ｘ線発生手段から撮影用Ｘ線を照射している撮影状態を特定する特定音、および、前記駆動機構による動作完了状態を特定する特定音のうちの少なくともひとつの特定音を発生させるものであるＸ線診断装置。
【請求項３】
請求項１または２に記載のＸ線診断装置において、
音比較手段が、入力音と特定音との周波数、発生間隔および長さそれぞれを比較するものであるＸ線診断装置。
【請求項４】
請求項１、２、３のいずれかに記載のＸ線診断装置において、
音比較手段において、入力音の検出を、特定音が発生していないときに行うものであるＸ線診断装置。
【発明の詳細な説明】
【技術分野】
【０００１】
この発明は、Ｘ線を発生させて被検者に照射するＸ線管などのＸ線発生手段と、そのＸ線発生手段から照射されるＸ線を受けるＸ線検出器などのＸ線検出手段と、Ｘ線発生手段または／およびＸ線検出手段を駆動変位する駆動機構とを備えたＸ線診断装置に関する。
【背景技術】
【０００２】
この種のＸ線診断装置では、例えば、透視中や撮影中、あるいは、Ｘ線管やＸ線検出器、ならびに、それらを保持するＣ型アームの移動中あるいは移動完了、更には、被検者と干渉する虞のある領域への機器の侵入の警告など、各種の動作を各種の音を発生させることで術者や補助作業者などに報知するようにしている。
【０００３】
この種のものとしては、次のように構成されたものが知られている。
近接操作卓における操作スイッチおよびパワアシスト操作部からの操作信号が姿勢制御回路に入力され、その姿勢制御回路からの駆動信号が機構部のモータに伝えられるように構成されている。ＣＰＵが、ボタン（タッチパネル）からの制御信号および位置情報に基づいて表示画面処理を行うとともに、スピーカに同一の結果を音声として発声して、操作者に操作状況を知らせるように構成されている。
表示画面部には、操作状況を示す画面と、被検者を載せる天板とＣアームの運動に伴って装置を構成する部材間の接近状態もしくは天板とＣアームの運動がそのまま進行したと想定した時の装置を構成する部材間の衝突・干渉状態の画面とが表示されるようになっている。
【０００４】
イメージインテンシファイア（Ｘ線検出手段）を操作した際に、被検者の周囲に一定の範囲で設定された干渉領域にイメージインテンシファイアが進入した場合、警告音が鳴るようになっている。
また、イメージインテンシファイアと天板、またはイメージインテンシファイア後面の映像装置と床や天井が干渉する位置に接近した場合にも警告音が鳴ってイメージインテンシファイアの動作を停止するようになっている。
更に、被検者の周囲に一定の範囲で設定された干渉領域にＣアームが進入した場合、警告音が鳴るようになっている（特許文献１参照）。
【特許文献１】特開平１１−２８５４９２号公報
【発明の開示】
【発明が解決しようとする課題】
【０００５】
しかしながら、上述従来例の場合、次のような課題があった。
近年のＸ線診断装置では、装置を使用する場合、インジェクションで造影剤を注入する際にも、その造影剤注入を知らせる音が発生させられる。
また、治療室に心電計を装備して、その心電計を使用している場合には、心電計の音も発生させられている。
このような状況下では、Ｘ線診断装置を使用する術者にとって、Ｘ線診断装置以外の機器から発生されるインジェクションや心電計などの周囲の音と、Ｘ線診断装置に関る機器の動作や処置に伴って発生する特定音とを判別しづらい問題があった。
これを回避するために、周囲の音がＸ線診断装置に関る特定音と類似している場合に、Ｘ線診断装置に関る特定音を周囲の音と類似していない音に手動で変更しているが、Ｘ線診断装置以外の機器から発生される周囲の音も多様性に富むようになっており、Ｘ線診断装置に関る特定音を変更するための操作が煩わしいという問題があった。
【０００６】
この発明は、上述のような事情に鑑みてなされたものであって、Ｘ線診断装置に関る機器の動作や処置に伴って発生する特定音を、他の機器から発生される周囲の音と類似しない音に容易に変更できるようにすることを目的とする。
【課題を解決するための手段】
【０００７】
請求項１に係る発明は、上述のような目的を達成するために、次のような構成をとる。
すなわち、Ｘ線を発生させて被検者に照射するＸ線発生手段と、前記Ｘ線発生手段から照射されるＸ線を受けるＸ線検出手段と、前記Ｘ線発生手段または／およびＸ線検出手段を駆動変位する駆動機構とを備えたＸ線診断装置において、
診断動作を特定する特定音を発生する特定音発生手段と、前記特定音発生手段で発生する特定音として複数の異なる特定音を格納する特定音格納手段と、周囲の音を入力し、その入力音とその時点で使用しようとしている特定音とを比較して類似していると判断したときに音置換信号を出力する音比較手段と、音置換信号に応答して前記特定音格納手段に格納されている類似しない音を前記特定音発生手段から発生させるように使用すべき特定音を置換する特定音置換制御手段とを備えたことを特徴としている。
ここでいう「診断動作」とは、透視や撮影のためにＸ線発生手段からＸ線を照射する動作とか、Ｘ線発生手段やＸ線検出手段を駆動機構によって移動する動作や動作完了といった動作とか、更には、Ｘ線発生手段やＸ線検出手段の移動の際に被検者などに接近し、そのことを警告する動作などのことをいう。
【０００８】
（作用・効果）
請求項１に係る発明のＸ線診断装置の構成によれば、Ｘ線診断装置に関る機器の動作や処置に伴って発生する特定音が、Ｘ線診断装置以外の他の機器から発生される周囲の音と類似している場合に、そのことを音比較手段で判断し、特定音置換制御手段によって、特定音を他の機器から発生される音と類似しない音に自動的に置換する。
したがって、Ｘ線診断装置に関る機器の動作や処置に伴って発生する特定音を、他の機器から発生される周囲の音と類似しない音に容易に変更できる。
【０００９】
また、請求項２に係る発明は、
請求項１に記載のＸ線診断装置において、
特定音発生手段が、Ｘ線発生手段から透視用Ｘ線を照射している透視状態を特定する特定音、前記Ｘ線発生手段から撮影用Ｘ線を照射している撮影状態を特定する特定音、および、前記駆動機構による動作完了状態を特定する特定音のうちの少なくともひとつの特定音を発生させるように構成する。
【００１０】
（作用・効果）
請求項２に係る発明のＸ線診断装置の構成によれば、Ｘ線透視状態、Ｘ線撮影状態、Ｘ線発生手段やＸ線検出手段の動作完了状態を、特定音の発生によって術者などに知らせることができる。
したがって、術者や補助作業者が、安全かつ適切にＸ線診断作業を行うことができる。
【００１１】
また、請求項３に係る発明は、
請求項１または２に記載のＸ線診断装置において、
音比較手段を、入力音と特定音との周波数、発生間隔および長さそれぞれを比較するように構成する。
【００１２】
（作用・効果）
請求項３に係る発明のＸ線診断装置の構成によれば、聴覚的に音の識別に大いに関与する周波数、発生間隔および長さそれぞれを比較することで、入力音と特定音との類似性を適切に判断し、他の機器から発生される周囲の音と明確に識別できる特定音を発生させることができる。
【００１３】
また、請求項４に係る発明は、
請求項１、２、３のいずれかに記載のＸ線診断装置において、
音比較手段において、入力音の検出を、特定音が発生していないときに行うように構成する。
【００１４】
（作用・効果）
請求項４に係る発明のＸ線診断装置の構成によれば、他の機器から発生される周囲の音を、Ｘ線診断装置に関る機器の動作や処置に伴って発生する特定音が発生していないときに取り込み、その取り込んだ音と特定音とを比較し、特定音を、Ｘ線診断装置以外の他の機器から発生される周囲の音に類似しない音として発生させることができる。
【発明の効果】
【００１５】
この請求項１に係る発明のＸ線診断装置の構成によれば、Ｘ線診断装置に関る機器の動作や処置に伴って発生する特定音が、Ｘ線診断装置以外の他の機器から発生される周囲の音と類似している場合に、そのことを音比較手段で判断し、特定音置換制御手段によって、特定音を他の機器から発生される音と類似しない音に自動的に置換する。
したがって、Ｘ線診断装置に関る機器の動作や処置に伴って発生する特定音を、他の機器から発生される周囲の音と類似しない音に容易に変更できる。
【発明を実施するための最良の形態】
【００１６】
次に、この発明の実施例について、図面に基づいて詳細に説明する。
図１は、この発明に係るＸ線診断装置の実施例の全体斜視図であり、被検者Ｈを挟んで、被検者ＨにＸ線を発生して照射するＸ線発生手段としてのＸ線管１と、Ｘ線管１から照射されて被検者Ｈを透過したＸ線を検出するＸ線検出手段としてのフラットパネル型Ｘ線検出器２とが設けられている。Ｘ線管１と、フラットパネル型Ｘ線検出器２とはＣ型アーム３の一端と他端とに取り付けられている。
【００１７】
装置本体４に支柱部材５が昇降可能に、かつ、鉛直方向の軸心周りで回転可能に設けられている。支柱部材５に水平方向の軸心周りで回転可能にアーム保持部材６が設けられ、そのアーム保持部材６に、Ｘ線管１とフラットパネル型Ｘ線検出器２との間の所定の中心周りで回転可能にＣ型アーム３が設けられている。
被検者Ｈを載置する天板７は、固定台８に水平方向に移動可能に設けられている。
【００１８】
Ｘ線管１には高電圧発生装置９が接続され、通常線量モードでの透視のためのＸ線、高線量モードでの透視のためのＸ線、撮影モードでのＸ線をそれぞれ発生して照射するように構成されている。
アーム保持部材６内に設けられたＸ線管１およびフラットパネル型Ｘ線検出器２を駆動変位する駆動機構としてのピニオンギアモータ（図示せず）、および、支持部材５に設けられたＸ線管１およびフラットパネル型Ｘ線検出器２を駆動変位する駆動機構としてのアーム保持部材回転モータ（図示せず）それぞれにＣ型アーム制御器１０が接続され、アーム保持部材６およびＣ型アーム３それぞれの回転駆動および停止を制御するように構成されている。
また、Ｘ線管１に設けられた接近検知センサ（図示せず）、および、フラットパネル型Ｘ線検出器２に設けられた接近検知センサ（図示せず）それぞれに接近判別手段１１が接続され、Ｘ線管１または／およびフラットパネル型Ｘ線検出器２が被検者Ｈや他物に設定距離以上に接近したことを判別して診断動作信号としての警告信号を出力するようになっている。
【００１９】
図２のブロック図に示すように、高電圧発生装置９に接続されたＸ線制御手段９ａ、Ｃ型アーム制御器１０、ならびに、接近判別手段１１それぞれが再生制御器１２に接続されている。
Ｘ線制御手段９ａでは、高電圧発生装置９で通常線量モードでの透視のためのＸ線を発生させる診断動作の指示に基づいて診断動作信号としての透視信号を出力するとともに、高線量モードでの透視のためのＸ線を発生させる診断動作の指示に基づいて診断動作信号としての高線量透視信号を出力し、かつ、高電圧発生装置９で撮影モードでのＸ線を発生させる診断動作の指示に基づいて診断動作信号としての撮影信号を出力するようになっている。
【００２０】
Ｃ型アーム制御器１０では、Ｃ型アーム３の回転動作の指示に基づいて診断動作信号としてのアーム移動信号を出力するとともに、Ｃ型アーム３の移動完了状態動作の指示に基づいて診断動作信号としてのアーム移動完了信号を出力するようになっている。
また、再生制御器１２には、装置内での異常発生に伴って出力される診断動作信号としてのエラー信号を受けるようになっている。
【００２１】
再生制御器１２に再生音格納手段１３が接続されるとともに、再生音格納手段１３に特定音発生手段としてのスピーカ１４が接続されている。
再生音格納手段１３には、図３の再生テーブルの構成図に示すように、透視中、撮影中、接近警告、Ｃ型アーム移動中、Ｃ型アーム移動完了、高線量モード透視中およびエラーそれぞれに対応する音Ａ、Ｂ、Ｃ、Ｄ、Ｅ、Ｆ、Ｇを、音の主成分周波数、音の間隔および音の長さ（Ａｆ，ＡＨ，ＡＬ）、（Ｂｆ，ＢＨ，ＢＬ）、（Ｃｆ，ＣＨ，ＣＬ）、（Ｄｆ，ＤＨ，ＤＬ）、（Ｅｆ，ＥＨ，ＥＬ）、（Ｆｆ，ＦＨ，ＦＬ）、（Ｇｆ，ＧＨ，ＧＬ）とともに記憶させた再生テーブルＴＭが備えられている。この再生テーブルＴＭには、後述する他の装置からの音、すなわち、周囲の音に類似して使用禁止となった音を記憶する禁止音領域が備えられている。
再生制御器１２では、透視信号、撮影信号、警告信号、アーム移動信号、移動完了信号、高線量透視信号およびエラー信号を受けるに伴い、それぞれに対応した音を再生音格納手段１３から抽出してスピーカ１４から発生させるようになっている。
【００２２】
Ｘ線診断装置には、造影剤注入用のインジェクションや心電計などの他の装置１５から発生される音を検出するマイクロフォンなどの検出器１６が付設され、その検出器１６に音処理器１７が接続され、その音処理器１７に音比較手段１８が接続されるとともに音比較手段１８に特定音置換制御手段１９が接続されている。
音比較手段１８に、再生音比較用データ保持部２０が接続され、この再生音比較用データ保持部２０に特定音格納手段２１が接続され、特定音格納手段２１に再生音格納手段１３と特定音置換制御手段１９と特定音設定手段２２とが接続されている。
【００２３】
特定音格納手段２１では、特定音設定手段２２からの操作によって、使用する特定音を音の主成分周波数、音の間隔および音の長さとともに入力設定し、その使用する特定音の音の主成分周波数、音の間隔および音の長さを再生音比較用データとして再生音比較用データ保持部２０に入力保持させるとともに、再生音格納手段１３に記憶させるようになっている。
【００２４】
また、特定音格納手段２１では、図４の候補テーブルの構成図に示すように、他の装置１５から発生される音と類似したときに置換するための予備の特定音を格納する候補テーブルＴＫが備えられ、この候補テーブルＴＫに、特定音設定手段２２からの操作によって、予備の特定音Ｈ、Ｉ、Ｊ、Ｋ、Ｌ、Ｍ、Ｎ、Ｏが、音の主成分周波数、音の間隔および音の長さ（Ｈｆ，ＨＨ，ＨＬ）、（Ｉｆ，ＩＨ，ＩＬ）、（Ｊｆ，ＪＨ，ＪＬ）、（Ｋｆ，ＫＨ，ＫＬ）、（Ｌｆ，ＬＨ，ＬＬ）、（Ｍｆ，ＭＨ，ＭＬ）、（Ｎｆ，ＮＨ，ＮＬ）、（Ｏｆ，ＯＨ，ＯＬ）とともに記憶させられている。
【００２５】
音処理器１７では、検出器１６に入力された他の装置１５からの音、すなわち、周囲の音に基づき、その周囲の音の一次成分周波数、二次成分周波数、音の間隔および音の長さから成る４成分を抽出処理するようになっている。この音処理器１７では、検出器１６に入力される周囲の音が設定時間（例えば、１分間）継続しているかどうかを判断し、設定時間継続している音を処理し、突発的な音は除外するようになっている。
【００２６】
音比較手段１８では、音処理器１７から入力される周囲の音の一次成分周波数、二次成分周波数、音の間隔および音の長さと、再生音比較用データ保持部２０に保持されている特定音の３成分である音の主成分周波数、音の間隔および音の長さとを順次比較し、類似していると判断したときに音置換信号を出力するようになっている。
【００２７】
この音比較手段１８における比較動作について、次に詳述する。
（１）周波数比較について
周囲の音の一次周波数ｆ０および二次周波数ｆ１それぞれと特定音（ここでは特定音Ａについて説明する）の周波数ｆＡとを次式に代入して類似度Ｅ０、Ｅ１を求め、小さい方を周波数の類似度Ｅｆとする。
Ｅ０＝（ｆ０−ｆＡ）Ｗ０ＸＥ
Ｅ１＝（ｆ１−ｆＡ）Ｗ１ＸＥ
ここで、Ｗ０ＸＥ、Ｗ１ＸＥはそれぞれ重みであり、類似判断の他の音の間隔および音の長さとの対比上、重要度を加味して決める数値であり、その重みは適宜設定できる。
（２）間隔比較について
周囲の音の間隔Ｈ０と特定音（ここでは特定音Ａについて説明する）の間隔ＨＡとを次式に代入して類似度ＥＨを求める。
ＥＨ＝（Ｈ０−ＨＡ）ＸＨ
ここで、ＸＨは重みであり、類似判断の他の音の主成分周波数および音の長さとの対比上、重要度を加味して決める数値であり、その重みは適宜設定できる。
【００２８】
（３）長さ比較について
周囲の音の長さＬ０と特定音（ここでは特定音Ａについて説明する）の長さＬＡとを次式に代入して類似度ＥＬを求める。
ＥＬ＝（Ｌ０−ＬＡ）ＸＬ
ここで、ＸＬは重みであり、類似判断の他の音の主成分周波数および音の間隔との対比上、重要度を加味して決める数値であり、その重みは適宜設定できる。
（４）類似度について
類似度は、上述のようにして求めた周波数の類似度Ｅｆと間隔の類似度ＥＨと長さの類似度ＥＬとの総合計Ｅ＝Ｅｆ＋ＥＨ＋ＥＬと基準値とを比較し、基準値以上の場合に類似していないと判断し、基準値未満の場合には類似していると判断し、前述したように音置換信号を出力することになる。
【００２９】
類似度の比較のための基準値は次のようにして設定した。
すなわち、特定音それぞれに似た音を作成し、その作成した音の音の主成分周波数、音の間隔および音の長さそれぞれを変化させ、聴覚的に識別できた時点での類似度を基準値とした。
【００３０】
特定音置換制御手段１９では、他の装置１５からの音がある特定音に類似していると判断して出力される音比較手段１８からの音置換信号に応答して、類似していると判断された特定音を再生音格納手段１３における再生テーブルＴＭの禁止音領域に移動させるとともに、特定音格納手段２１の候補テーブルＴＫに記憶されている最先順位の特定音を抽出して先の類似していた特定音と置換し、かつ、その抽出した特定音の音の主成分周波数、音の間隔および音の長さそれぞれを、再生音比較用データ保持部２０における先の類似していた特定音の音の主成分周波数、音の間隔および音の長さそれぞれと置換するようになっている。
【００３１】
以下に、類似比較ならびに特定音の置換制御動作について、図５に示すフローチャートを用いて説明する。
先ず、診断動作が有るかどうか、すなわち、透視信号、撮影信号、接近信号、アーム移動信号、アーム移動完了信号、高線量透視信号およびエラー信号のうちの少なくともひとつを受けているかどうかを判断する（Ｓ１）。
診断動作有りと判断した場合には、いずれの信号かを判別し（Ｓ２）、信号に対応する特定音をスピーカ１４から発生させて（Ｓ３）から、ステップＳ１に戻す。
ステップＳ１で診断動作無しと判断した場合には、ステップＳ４に移行して周囲の音が入力されているかどうかを判断する。ここでは、１０秒間継続しているかどうかをも判断し、１０秒間継続している場合に、周囲の音としてサンプリングする。
上述のステップＳ１〜Ｓ４では、Ｘ線診断装置に関る特定音が発生していない状態で、かつ、突発的な音を除外する状態で、継続的に発生されている周囲の音を入力し、入力音の検出を、特定音が発生していないときに行うようになっている。
【００３２】
ステップＳ４で、周囲の音が入力されていないと判断したときにはステップＳ１に戻る。一方、周囲の音が入力されていると判断したときにはステップＳ５に移行し、音処理器１７により、入力された周囲の音の４成分（音の一次周波数ｆ０、二次周波数ｆ１、音の間隔Ｈ０、音の長さＬ０）を抽出処理する。
次いで、再生音比較用データ保持部２０から特定音の３成分（音の周波数ｆＡ、音の間隔ＨＡ、音の長さＬＡ）を入力し（Ｓ６）、前述したようにして類似度を求め、基準値と比較して類似しているかどうかを判断する（Ｓ７）。
【００３３】
類似していると判断した場合には、図６の再生テーブルの記憶内容の変化を示す図に示すように、再生テーブルＴＭにおいて、類似している特定音を禁止音領域に移動させる（Ｓ８）とともに、候補テーブルＴＫから最先順位の特定音を選択し（Ｓ９）、再生テーブルＴＭに移行して記憶させる。候補テーブルＴＫでは、図７の候補テーブルの記憶内容の変化を示す図に示すように、残りの特定音を繰り上げる。
図６では、特定音ＣをＨに置換するとともに禁止音領域に移行し、そして、ＦをＩに置換するとともに禁止音領域に移行するという変化を示している。また、図７では、得低音Ｈ、Ｉを再生テーブルＴＭに移行するとともに順次繰り上げるという変化を示している。
【００３４】
上述ステップＳ９を経た後、または、ステップＳ７で類似していないと判断したときには、ステップＳ１０に移行して使用している特定音のすべてに対して類似しているかどうかの比較を行ったかどうかを判断する。ここで、比較すべき特定音が残っているときには、ステップＳ６に戻し、類似比較を繰り返す。
【００３５】
一方、特定音のすべてに対して類似しているかどうかの比較を行った後には、ステップＳ１１に移行してＸ線診断装置を停止したかどうかを判断する。
ここで、停止していないと判断したときには、ステップＳ１に戻し、Ｘ線診断装置が運転されている間は、周囲の音と特定音との類似比較を常時行い、周囲の音に類似している特定音がある場合には、類似していない特定音に置換する。
【００３６】
上記構成により、Ｘ線診断装置を運転する場合に、インジェクションや心電計など、継続的に入力される周囲の音がある場合に、Ｘ線診断装置に関る機器から発生される特定音と、入力される周囲の音との類似判断を自動的に行う。しかも、類似している特定音があるときには、類似していない特定音に自動的に置換することができる。
【００３７】
上記実施例では、Ｘ線検出手段として、フラットパネル型Ｘ線検出器２を使用している場合を示したが、この発明としては、例えば、イメージインテンシファイアを使用する場合などにも適用できる。
【図面の簡単な説明】
【００３８】
【図１】この発明に係るＸ線診断装置の実施例の全体斜視図である。
【図２】ブロック図である。
【図３】再生テーブルの構成図である。
【図４】候補テーブルの構成図である。
【図５】類似比較ならびに特定音の置換制御動作を説明するフローチャートである。
【図６】再生テーブルの記憶内容の変化を示す図である。
【図７】候補テーブルの記憶内容の変化を示す図である。
【符号の説明】
【００３９】
１…Ｘ線管（Ｘ線発生手段）
２…フラットパネル型Ｘ線検出器（Ｘ線検出手段）
１４…スピーカ（特定音発生手段）
１８…音比較手段
１９…特定音置換制御手段
２１…特定音格納手段
Ｈ…被検者
【図１】
2009039287.tif 000003
【図２】
2009039287.tif 000004
【図３】
2009039287.tif 000005
【図４】
2009039287.tif 000006
【図５】
2009039287.tif 000007
【図６】
2009039287.tif 000008
【図７】
2009039287.tif 000009